(57)【要約】【課題】折り畳んで携帯することが可能な洋式便器の幼児用補助便座を提供する。【解決手段】洋式便器の幼児用補助便座１は、大人用便座２の上に載置して使用するものであって、便座を一対の前側分割便座部材３ａ，３ｂと一対の後側分割便座部材４ａ，４ｂとに四分割し、各後側分割便座部材４ａ，４ｂと各前側分割便座部材３ａ，３ｂとをそれぞれ第１ヒンジ５によって回転可能に連結するとともに、前記後側分割便座部材４ａ，４ｂどうしを第２ヒンジ６によって回転可能に連結し、各前側分割便座部材３ａ，３ｂと各後側分割便座部材４ａ，４ｂとを四つ折り状態となし、外側に位置する各分割便座部材４ａ，４ｂに、前記四つ折り状態を維持するよう、互いを係脱可能に連繋する連繋具８を設ける。【選択図】　　　　図２
0003098538.tif 000002
【実用新案登録請求の範囲】
【請求項１】
大人用便座の上に載置して使用する洋式便器の幼児用補助便座であって、便座を一対の前側分割便座部材と一対の後側分割便座部材とに四分割し、各後側分割便座部材と各前側分割便座部材とをそれぞれ第１ヒンジによって回転可能に連結するとともに、前記後側分割便座部材どうしを第２ヒンジによって、前記各前側分割便座部材と各後側分割便座部材の回転方向とは直角方向に回転可能に連結し、各前側分割便座部材と各後側分割便座部材とを各第１ヒンジを中心に回転させ重ね合わせた後に、後側分割便座部材どうしを第２ヒンジを中心に回転させ、各分割便座部材を重ね合わせた四つ折り状態において、外側に位置する各分割便座部材に、前記四つ折り状態を維持するよう、互いを係脱可能に連繋する連繋具を設けた洋式便器の幼児用補助便座。
【請求項２】
大人用便座の上に載置して使用する洋式便器の幼児用補助便座であって、便座を一対の前側分割便座部材と一対の後側分割便座部材に四分割し、各後側分割便座部材と各前側分割便座部材とをそれぞれ第１ヒンジによって回転可能に連結するとともに、前記後側分割便座部材どうしを第２ヒンジによって、前記各前側分割便座部材と各後側分割便座部材の回転方向とは直角方向に回転可能に連結し、各前側分割便座部材と各後側分割便座部材とを各第１ヒンジを中心に回転させ重ね合わせた後に、後側分割便座部材どうしを第２ヒンジを中心に回転させ、各分割便座部材を重ね合わせた四つ折り状態において、外側に位置する各分割便座部材に、前記四つ折り状態を維持するよう、互いを係脱可能に連繋する連繋具を設け、前記分割便座部材の一つに、使用時の体重による上からの圧力でスイッチオンとなり、前記圧力の解除でスイッチオフとなる発音器を設けた洋式便器の幼児用補助便座。
【請求項３】
大人用便座の上に載置して使用する洋式便器の幼児用補助便座であって、便座を幅方向あるいは前後方向に二分割した半割便座部材をヒンジによって回転可能に連結し、各半割便座部材をヒンジを中心に回転させ重ね合わせて二つ折り状態にしうるようになすとともに、各半割便座部材に、前記二つ折り状態を維持するよう、互いを係脱可能に連繋する連繋具を設け、前記両半割便座部材の一方に、使用時の体重による上からの圧力でスイッチオンとなり、前記圧力の解除でスイッチオフとなる発音器を設けた洋式便器の幼児用補助便座。
【考案の詳細な説明】
【０００１】
【考案の属する技術分野】
本考案は、大人用便座の上に載置して使用する洋式便器の幼児用便座に係り、特に、折り畳み可能で、携帯用としても使用し得るものに関するものである。
【０００２】
【従来の技術】
従来、洋式便器の幼児用補助便座は、大人用便座の上に載置して使用するもの（特許文献１参照。）、あるいは便器蓋の基部に蝶番で回転可能に取り付けられ、使用に際しては前記蝶番を中心に回転させ、大人用便座上に乗るようになしたもの（特許文献２参照。）が提案されている。
【０００３】
【特許文献１】
特開平０７−２３１８６１号公報
【特許文献２】
特開２００２−３６９７６８号公報
【０００４】
【考案が解決しようとする課題】
外出先で幼児用便座が設備されたトイレを探すことは極めて難しく、携帯可能な幼児用便座の出現が望まれているが、上記特許文献１，２のいずれの便座も、家庭内で使用するには支障がないが、外出するときには嵩張るため、携帯することが困難であるという不都合があった。本考案は、前記不都合を解消することを課題とし、該課題を解決した洋式便器の幼児用補助便座を提供することを目的とする。
【０００５】
【課題を解決するための手段】
上記目的を達成するために、請求項１に記載の本考案は、大人用便座の上に載置して使用する洋式便器の幼児用補助便座であって、便座を一対の前側分割便座部材と一対の後側分割便座部材とに四分割し、各後側分割便座部材と各前側分割便座部材とをそれぞれ第１ヒンジによって回転可能に連結するとともに、前記後側分割便座部材どうしを第２ヒンジによって、前記各前側分割便座部材と各後側分割便座部材の回転方向とは直角方向に回転可能に連結し、各前側分割便座部材と各後側分割便座部材とを各第１ヒンジを中心に回転させ重ね合わせた後に、後側分割便座部材どうしを第２ヒンジを中心に回転させ、各分割便座部材を重ね合わせた四つ折り状態において、外側に位置する各分割便座部材に、前記四つ折り状態を維持するよう、互いを係脱可能に連繋する連繋具を設けたものである。
【０００６】
また、請求項２に記載の本考案は、大人用便座の上に載置して使用する洋式便器の幼児用補助便座であって、便座を一対の前側分割便座部材と一対の後側分割便座部材に四分割し、各後側分割便座部材と各前側分割便座部材とをそれぞれ第１ヒンジによって回転可能に連結するとともに、前記後側分割便座部材どうしを第２ヒンジによって、前記各前側分割便座部材と各後側分割便座部材の回転方向とは直角方向に回転可能に連結し、各前側分割便座部材と各後側分割便座部材とを各第１ヒンジを中心に回転させ重ね合わせた後に、後側分割便座部材どうしを第２ヒンジを中心に回転させ、各分割便座部材を重ね合わせた四つ折り状態において、外側に位置する各分割便座部材に、前記四つ折り状態を維持するよう、互いを係脱可能に連繋する連繋具を設け、前記分割便座部材の一つに、使用時の体重による上からの圧力でスイッチオンとなり、前記圧力の解除でスイッチオフとなる発音器を設けたものである。
【０００７】
さらに、請求項３に記載の本考案は、大人用便座の上に載置して使用する洋式便器の幼児用補助便座であって、便座を幅方向あるいは前後方向に二分割した半割便座部材をヒンジによって回転可能に連結し、各半割便座部材をヒンジを中心に回転させ重ね合わせて二つ折り状態にしうるようになすとともに、各半割便座部材に、前記二つ折り状態を維持するよう、互いを係脱可能に連繋する連繋具を設け、前記両半割便座部材の一方に、使用時の体重による上からの圧力でスイッチオンとなり、前記圧力の解除でスイッチオフとなる発音器を設けたものである。
【０００８】
【考案の実施の形態】
次に、本考案の好適な第１の実施形態を添付図面の図１〜図７に基づいて詳細に説明する。ここにおいて、図１は正面図、図２は背面図、図３は使用状態を示す斜視図、図４は二つ折りに折り畳んだ状態を示す正面図、図５は四つ折に折り畳んだ状態を示す斜視図、図６は連結状態を示す連繋具の部分拡大斜視図、図７は非連結状態を示す連繋具の部分拡大斜視図である。
【０００９】
図１〜図３に示すように、補助便座１は、大人用便座２の上に載置して使用するもので、便座を四分割した形状の一対の前側分割便座部材３ａ，３ｂと一対の後側分割便座部材４ａ，４ｂとを、それぞれ幅方向に延びる一対の第１ヒンジ５によって回転可能に連結するとともに、前記後側分割便座部材４ａ，４ｂどうしを前後方向に伸びる第２ヒンジ６によって、前記各前側分割便座部材３ａ，３ｂと各後側分割便座部材４ａ，４ｂの回転方向とは直角方向に回転可能に連結する。
【００１０】
このように連結した各前側分割便座部材３ａ，３ｂと各後側分割便座部材４ａ，４ｂとは、各第１ヒンジ５を中心に回転させ重ね合わせて二つ折り状態（図４参照）にした後に、後側分割便座部材４ａ，４ｂどうしを第２ヒンジ６を中心に回転させ、各前側分割便座部材３ａ，３ｂを間に挟んで重ね合わせて四つ折り状態にすることが可能である。
【００１１】
図１、図２、図４及び図５に示すように、各後側分割便座部材４ａ，４ｂには、前記四つ折り状態において合わさるように、それぞれの外縁の相対部位に掛止リング７ａ，７ｂを一体形成し、前記四つ折り状態を維持するよう、この掛止リング７ａ，７ｂに、互いを係脱可能に連繋する各一対の連繋具８ａ，８ｂを設ける。図６及び図７に示すように、一方の連繋具８ａは、筒状に形成され、掛止リング７ａに突設し、また、他方の連繋具８ｂは、その先端に前記連繋具８ａ先端に嵌入する突部を有し、かつ前記連繋具８ａに対応位置するように、掛止リング７ａに突設してある。そして、前側分割便座部材３ａ，３ｂと後側分割便座部材４ａ，４ｂを前記四つ折り状態となし、前記各連繋具８ａ，８ｂを嵌合することによって、掛止リング７ａ，７ｂが一体となり、前記四つ折り状態を維持するものである。このように四つ折り状態となした補助便座１は、図５に示すように、トイレの壁に打ちつけた掛止釘１２などに掛止リング７ａ，７ｂを掛止することによって吊り下げることが可能である。
【００１２】
図２に示すように、各前側分割便座部材３ａ，３ｂと後側分割便座部材４ａ，４ｂの背面の各外周縁及び各内周縁には、補強用の肉厚部９が形成してある。また、前記外周縁側の肉厚部９の適所には、ゴム製の支持突起１０を突設してある。この支持突起１０は、補助便座１を大人用便座に載置した際に、滑り止めとなって、補助便座１のずれを防ぐ作用がある。
【００１３】
図１〜図４に示すように、前側分割便座部材３ａには、上からの圧力を受けてスイッチオンとなり、前記圧力解除でスイッチオフとなる発音器１１を設けてある。この発音器１１は、幼児が好むメロディーを発音する機構を有し、使用時に幼児が補助便座１に座り、体重がかかるとスイッチオンして前記メロディーを奏で、補助便座１から降りると、前記メロディーが止むので、幼児が喜ぶだけでなく、保護者側では、トイレ外からトイレ内の幼児の行動をある程度察知することができるという利点がある。
【００１４】
上記の洋式便器の幼児用補助便座１の使用方法を説明する。まず、図５に示す四つ折り状態状態において、各連繋具８ｂを各連繋具８ａから引き抜いて、それらの嵌合を外し、各前側分割便座部材３ａ，３ｂと各後側分割便座部材４ａ，４ｂを図１、図２のように展開する。この展開した補助便座１を裏面の支持突起１０が大人用便座２の所定位置に対応するようにして載置し、使用可能となる。この補助便座１上に幼児を座らせると、その体重によって発音器１１が上から圧力を受け、スイッチオンとなり、メロディーが流れる。また、幼児がこの補助便座から降りると、前記圧力が解除され発音器１１がスイッチオフとなり、メロディーが止まる。
【００１５】
次に、保管時や携帯時には、各前側分割便座部材３ａ，３ｂと各後側分割便座部材４ａ，４ｂとを各第１ヒンジ５を中心に回転させ重ね合わせ（図４参照）、続いて、後側分割便座部材４ａ，４ｂどうしを第２ヒンジ６を中心に回転させ、各前側分割便座部材３ａ，３ｂを間に挟んで重ね合わせ四つ折り状態となす。掛止リング７ａの各連繋具８ａの先端に掛止リング７ｂの各連繋具８ｂを押し込んで嵌合させ、掛止リング７ａ，７ｂを一体となし、前記四つ折り状態を維持させる。この四つ折り状態の補助便座１は、トイレ壁に掛けて保管するには、前記掛止リング７ａ，７ｂを掛止釘１２に掛ける（図５参照）。また、外出時に携帯するときにもこの四つ折り状態となす。
【００１６】
次に、連繋具の他の実施形態を添付図面の図８〜図１０に基づいて説明する。ここにおいて、図８は組み立て状態を示す斜視図、図９は連繋前の状態を示す斜視図、図１０は連繋状態を示す斜視図である。
【００１７】
図８〜図１０に示すように、前記連繋具５１は、一方の掛止リング５２ａに、回転可能に断面コの字の係合体５３を軸支し、他方の掛止リング５２ｂの縁部に被係合部５４を設けてなるものである。この連繋具５１は、前記係合体５３を図９の状態から回転変位させ、図１０のように、係合体５３を被係合部５４に係合させ、掛止リング５２ａ，５２ｂを一体となし、前記四つ折り状態を維持させる。
【００１８】
続いて、本考案の第２の実施形態を添付図面の図１１，１２に基づいて説明する。ここにおいて、図１１は正面図、図１２は背面図である。
【００１９】
図１０及び図１１に示すように、この実施形態の補助便座１０１は、便座を幅方向に二分割した半割便座部材１０２ａ，１０２ｂをヒンジ１０３によって回転可能に連結し、各半割便座部材１０２ａ，１０２ｂをヒンジ１０３を中心に回転させ重ね合わせて二つ折り状態にしうるように構成する。前記半割便座部材１０２ａ，１０２ｂは、ヒンジ１０３を中心に回転させ重ね合わせて二つ折り状態にすることが可能である。
【００２０】
また、前記各半割便座部材１０２ａ，１０２ｂには、前記二つ折り状態において合わさるように、それぞれの外縁の相対位置部位に掛止リング１０４ａ，１０４ｂを一体形成し、前記二つ折り状態を維持するよう、この掛止リング１０４ａ，１０４ｂに、互いを連繋する連繋具１０５ａ，１０５ｂを設ける。これら連繋具１０５ａ，１０５ｂは、前述の第１実施形態の連繋具８ａ，８ｂと同一の構成を有するもので、一方の連繋具１０５ａは、筒状に形成され、掛止リング１０６ａに突設し、他方の連繋具１０５ｂは、その先端に前記連繋具１０５ａ先端に嵌入するように突部を設けてなる。そして、半割便座部材１０２ａ，１０２ｂを前記二つ折り状態となし、前記連繋具１０５ａに連繋具１０５ｂを嵌入することによって、掛止リング１０４ａ，１０４ｂが一体となり、前記二つ折り状態を維持するものである。このように二つ折り状態となした補助便座１０１は、トイレの壁に打ちつけた掛止釘などに掛止リング１０４ａ，１０４ｂを掛止することによって吊り下げることが可能である。
【００２１】
図１２に示すように、各半割便座部材１０２ａ，１０２ｂ裏面の各外周縁及び各内周縁には、補強用の肉厚部１０６が形成してある。また、前記外周縁側肉厚部１０６の適所には、ゴム製の支持突起１０７を突設してある。この支持突起１０７は、補助便座１０１を大人用便座に載置した際に、滑り止めとなって、補助便座１０１のずれを防ぐ作用がある。
【００２２】
図１１及び図１２に示すように、半割便座部材１０２ａには、上からの圧力を受けてスイッチオンとなり、前記圧力解除でスイッチオフとなる発音器１０８を設けてある。この発音器１０８は、幼児が好むメロディーを発音する機構を有し、使用時に幼児が補助便座１０１に座り、体重がかかるとスイッチオンして前記メロディーを奏で、補助便座１から降りると、前記メロディーが止むので、幼児が喜ぶだけでなく、保護者側では、トイレ外からトイレ内の幼児の行動をある程度察知することができるという利点がある。
【００２３】
なお、本考案は、上記各実施形態になんら限定されるものではなく、例えば、連繋具８ａ，８ｂは、前側分割便座部材３ａ，３ｂ、後側分割便座部材４ａ，４ｂを前記四つ折り状態に、あるいは半割便座部材１０２ａを二つ折りに、それぞれ維持するように構成したものであれば、上記各実施形態とは異なる構成のものであってもよい。また、発音器１１，１０８の発音は、メロディー音ではなく、話し声や鳥の鳴き声など他の音であってもよい。
【００２４】
【考案の効果】
以上説明したように、請求項１に記載した本考案の洋式便器の幼児用補助便座は、四つ折りに折り畳んで、使用時のほぼ１／４という極めて小さい状態で携帯することができるので、外出時には便利であるという効果がある。
【００２５】
また、請求項２に記載した本考案の洋式便器の幼児用補助便座は、四つ折りに折り畳んで、使用時のほぼ１／４という極めて小さい状態で携帯することができるので、外出時には便利であるうえ、座ると音が発生し降りると音が止む発音器を設けたので、幼児が喜ぶだけでなく、保護者側では、トイレ外からトイレ内の幼児の行動をある程度察知することができるという効果を奏する。
【００２６】
さらに、請求項３に記載した本考案の洋式便器の幼児用補助便座は、二つ折りに折り畳んで、使用時のほぼ半分という小さい状態で携帯することができるので、外出時には便利であるうえ、座ると音が発生し降りると音が止む発音器を設けたので、幼児が喜ぶだけでなく、保護者側では、トイレ外からトイレ内の幼児の行動をある程度察知することができるという効果を奏する。
【図面の簡単な説明】
【図１】第１の実施形態における正面図。
【図２】第１の実施形態における背面図。
【図３】第１の実施形態における、使用状態を示す斜視図。
【図４】第１の実施形態における、二つ折りに折り畳んだ状態を示す正面図。
【図５】第１の実施形態における、四つ折に折り畳んだ状態を示す斜視図。
【図６】第１の実施形態における、連結状態を示す連繋具の部分拡大斜視図。
【図７】第１の実施形態における、非連結状態を示す連繋具の部分拡大斜視図。
【図８】連繋具の他の実施形態における、組み立て状態を示す斜視図。
【図９】連繋具の他の実施形態における、連繋前の状態を示す斜視図。
【図１０】連繋具の他の実施形態における、連繋状態を示す斜視図。
【図１１】第２の実施形態における正面図。
【図１２】第２の実施形態における背面図。
【符号の説明】
１　　補助便座
２　　大人用便座
３ａ，３ｂ　　前側分割便座部材
４ａ，４ｂ　　後側分割便座部材
５　　第１ヒンジ
６　　第２ヒンジ
７ａ，７ｂ　　掛止リング
８ａ，８ｂ　　連繋具
９　　肉厚部
１０　　支持突起
１１　　発音器
１２　　掛止釘
１０１　　補助便座
１０２ａ，１０２ｂ　　半割便座部材
１０３　　ヒンジ
１０４ａ，１０４ｂ　　掛止リング
１０５ａ，１０５ｂ　　連繋具
１０６　　肉厚部
１０７　　支持突起
１０８　　発音器
【図１】
0003098538.tif 000003
【図２】
0003098538.tif 000004
【図３】
0003098538.tif 000005
【図４】
0003098538.tif 000006
【図５】
0003098538.tif 000007
【図６】
0003098538.tif 000008
【図７】
0003098538.tif 000009
【図８】
0003098538.tif 000010
【図９】
0003098538.tif 000011
【図１０】
0003098538.tif 000012
【図１１】
0003098538.tif 000013
【図１２】
0003098538.tif 000014